(57)【要約】【課題】従来の歯ブラシ（電動歯ブラシ含む）と技術には構造上、歯を磨いている際に手が汚れたり周囲に飛散するなどの衛生面での問題がありました。  本発明は、快適で衛生的な歯磨きを提供します。【解決手段】  歯ブラシ（電動歯ブラシ含む）に、本発明となる回転式斜面型歯磨き受けを形成することで、歯磨き液の滴る方向をコントロールできるようになり、さらに斜面受けが３６０度回転することで、垂直及び垂直に近い角度で歯磨きをしても歯磨き液で手や周囲が汚れないようになります。【選択図】図１
2013132548.tif 000002
【特許請求の範囲】
【請求項１】
歯ブラシ本体のブラシ部分と握り部分との間に、傾斜面を有する受け部を形成したことを特徴とする回転式斜面型歯磨き受け。
【請求項２】
歯ブラシ本体の握り部を手で握りしめた場合、受け部の先端もしくは一部が握り部を握る指よりも外側に伸びていることを特徴とする請求項１記載の回転式斜面型歯磨き受け。
【請求項３】
受け部が回転する構造であることを特徴とする、請求項１または２いずれか記載の回転式斜面型歯磨き受け。
【請求項４】
請求項１記載の受け部がゴムまたはゴムに類似する素材で作られ、伸縮力によって液漏れを防ぐ、回転式斜面型歯磨き受け。
【請求項５】
受け部の先端付近に重りを埋め込む、もしくは先端淵部分に取り付けることを特徴とする、請求項１、２または３、いずれか記載の回転式斜面型歯磨き受け。
【発明の詳細な説明】
【技術分野】
【０００１】  本発明は歯磨きの際、手にしたたる歯磨き液の汚れ効果的に防ぐため、ブラシ部分と握り部分との間に形成される回転式の斜面受け部に関するものである。
【技術背景】
【０００２】  従来の歯ブラシでは構造上、歯磨きをしている際にはブラシ本体を伝って歯磨き液で手が汚れ、また滴りによって周囲が汚れることが多くあった。手の汚れる不快感に加えて衛生面にも問題があった。
さらには歯磨き介助の場合は口内細菌の問題もあり、またベット上で寝たきりの介護者が自ら歯ブラシをする際にも手や周囲が汚れて精神的な負担となっていた。
これまでの先行技術は歯ブラシを平行にした場合での液垂れ対策が主なものであり、垂直及び垂直に近い状態での歯ブラシ行為では、角度的に滴る液で手が汚れてしまう問題があった。
【先行技術文献】
【特許文献】
【０００３】
【特許文献１】特開２００２−２７２５３６
【特許文献２】特開２００３−３４８
【特許文献３】特開２００５−１１０８４５
【特許文献４】実願２００２−８４０３
【特許文献５】実願２００６−７４６
【発明の概要】
【発明が解決しようとする課題】
【０００４】（１）歯磨きをしているときに液で手が汚れる不快感。
（２）洗面台など周囲が不必要に汚れるなどの環境面での問題。
（３）介助者が子供や介護者の歯ブラシをする際に発生する衛生面での問題。
本発明は特徴となる斜面の受け部に加えて受け部が回転することにより、これらの問題を解決しつつ、さらに歯ブラシ本体を垂直状態にした歯磨き行為であっても手を汚さずにすむ技術である。
【課題を解決するための手段】
【０００５】  歯磨き中にブラシ部から流れ出る歯磨き液で手や周囲が汚れぬよう、ブラシ部分と握り部分との間に斜面のある部を形成し、この受け部によって傾けられた方向へと滴りを誘導できるようにする。受け部の構造は歯ブラシ本体に対して下方に向かい９０度以下の斜面をなしている。
さらに受け部を３６０度回転させられることで、歯ブラシを垂直にした場合及び垂直に近い角度であっても、受け部から滴る液で手や周囲が汚れなくする。
受け部の回転する構造は大まかに、歯ブラシ部分、受け部分、握り部分の３分割とし、受け部部分を通したブラシ部分と握り部とを接続させ、受け部部分に遊びを作ることができる。受け部分と接する歯ブラシ本体の芯部分は丸い形状とする。
以上の構成よりなる回転式斜面型受け部のある歯ブラシである。
【発明での効果】
【０００６】  歯磨きで発生する歯磨き液の汚れが回転操作可能な斜面受け部に流れ込むことにより、手を汚さずに歯磨きが出来る。また滴る方角が調整されることによって垂直や垂直に近い状態での歯磨き行為であっても手を汚さず快適で衛生的な歯磨きが出来る。
うがい受けを併用することでベット上であっても手や周囲を汚さずに歯磨きが行えるようになる。児童の歯磨きであっても手や服を汚さないで歯磨きができる。
【図面の簡単な説明】
【０００７】
【図１】本発明となる回転式斜面型歯磨き受けを形成した歯ブラシの解説となる側面図。
【図２】本発明となる回転式斜面型歯磨き受けを電動歯ブラシに形成した場合の側面図。
【図３】受け部の角度を変えた側面図
【図４】上から見た角度を変えた実施図
【図５】受け部が回転する仕組の解説斜傾図。
【図６】溝のある電動歯ブラシ本体に分割された受け部を合わせ形成する場合の側面図。
【図７】歯ブラシ本体に伸縮性のある素材で受け部を形成した場合の側面図。
【図８】上から見た伸縮性のある素材で作られた受け部の図。
【図９】伸縮性のある素材で作られた受け部の断面図。
【図１０】伸縮性のある受け部と形成する歯ブラシ本体の溝部分の断面図。
【図１１】受け部の先端に重りを取り付けた場合の説明図。
【図１２】受け部の先端に重りを取り付けた構造の説明傾面図。
【発明を実施するための形態】
【０００８】本発明の実施形態について図１を基に説明する。
（イ）ブラシ部分（１）と握り部分（２）との間に特徴となる歯ブラシ本体に対して下方に向かって９０度以下の斜面を形成した受け部（３）を形成することで、
（ロ）ブラシ部分（１）より流れる歯磨き液の汚れ（Ａ）は、受け部（３）によって操作された矢印方向（Ｂ）へと滴り落ちる。
（ハ）受け部はもう一つの特徴として３６０度の回転が可能で、歯磨き中でも親指で自由に角度が動かせる。また先端付近に取り付けられた重り（４）によって自動的に低い方向へと受け部先端を傾けることも可能である。
【０００９】  本発明の特徴となる受け部は液垂れの方向を誘導するため、歯ブラシ本体に対して下に向かって９０度以下となる斜面をなしている。
また本発明の特徴の一つである受け部が握り部を持つ指よりも外側に伸びた形状は、歯ブラシ本体の握り部を持つ指よりも外側へ液を滴らせることが目的であり、さらにこの受け部が回転することで歯ブラシが垂直状態もしくは垂直に近い角度であっても手への液垂れを防ぐ技術である。
【００１０】  次に図３および図４を基に回転式斜面型歯磨き受けの角度を変えた実施形態図の説明する。
垂直や垂直に近い角度での歯磨きの場合、どうしても歯磨きの液が手に滴り、手や周囲を汚れてしまう問題があった。この問題を解決するため、本発明では回転する受け部を調整しながら歯磨きを行える。
この特徴により従来の水平状態にほぼ限定されていた歯磨きの滴れ防止が垂直状態であっても解決することが可能となった。
【００１１】  図５を基に回転を可能とする構造を説明する。
歯ブラシ部分（１）からのびる芯部分（２）が、受け部（３）を通り、握り部分（４）に差し込まれた状態で接着、または螺子状に嵌めまれる。これにより受け部に遊びができて回転が可能となる。
回転をスムーズにするためには、芯の形状は丸くなくてはならない。
電動歯ブラシに形成した場合も、歯ブラシ本体が回転部をくぐる構造は変わらない。
歯ブラシ本体の芯が受け部を通る仕組みは、握り部分が凸で、歯ブラシ部分が凹であっても問題はない。
【００１２】  受け部形成にはもう一つの方法として、図６を基に説明する。
上記方法で遊びを作った回転部分に予め溝を作り、立てまたは横に分離して製造された受け部を挟み込むことで形成が可能となる。この場合の溝部分はゴム状の素材とすることで、受け部からの漏れがよりなくなる。
【００１３】  ゴム製および伸縮性のある素材で受け部を形成する例を、図７および図８、図９、図１０で説明する。
伸縮性のある素材で作られた受け部を、一体型で作られた歯ブラシ本体の握り部分の下側から潜らせ、ブラシ部分と握り部分の間に作られた膨らみ（１）にある溝（２）に嵌めることで形成する。
受け部はゴムのように伸縮する素材で作り、この伸縮力によって液漏れを防ぎ、さらに回転を可能にして液垂れの方向をコントロールする。
歯ブラシ本体を通す受け部の穴の周縁は、他の受け部よりも肉厚部とし、強い伸縮力を確保するとともにと破れないようにする。歯ブラシ本体の溝がこの厚めのある部分をくわえ込むことで受け部が形成される。
受け部を通す歯ブラシ本体の握り下部先端は、受け部が通りやすいように丸みを帯びた形状で作り、ブラシ部分と握り部分との間にある溝にかけて太くなる円錐の構造とする。
溝となる回転部分は丸い構造とし、受け部の回転をスムーズにする。
【００１４】  受け部先端に重りを埋め込む、もしくは受け部先端の淵部分に取り付けることで、受け部先端を下側に向かせる仕組みを図１１および図１２を基に説明する。
受け部の先端に重りを埋め込むもしくは取り付ける事で、指で受け部の角度を操作をせずとも歯ブラシ本体を傾けるだけで、受け部の先端を下向きにすることが可能となる。
填め込み式の場合は、受け部（１）の先端の淵に同じ形状をした重り（２）を被せる方法で嵌め込む。これにより重心を先端に寄せることが出来る。
【符合の説明】
【００１５】（１）歯ブラシ部分。
（２）回転式斜面型歯磨き受け。
（３）握り部分。
（４）先端付近に取り付けられた重り。
（Ａ）歯ブラシ部分から流れる歯磨き液。
（Ｂ）回転式斜面型歯磨き受けによって操作された歯ブラシ液の滴り。
【図１】
2013132548.tif 000003
【図２】
2013132548.tif 000004
【図３】
2013132548.tif 000005
【図４】
2013132548.tif 000006
【図５】
2013132548.tif 000007
【図６】
2013132548.tif 000008
【図７】
2013132548.tif 000009
【図８】
2013132548.tif 000010
【図９】
2013132548.tif 000011
【図１０】
2013132548.tif 000012
【図１１】
2013132548.tif 000013
【図１２】
2013132548.tif 000014